(57)【要約】      （修正有）【課題】マフラーを酸化触媒側とフィルター本体側に２つのマフラー構成部に分解して、それぞれのマフラー構成部を循環する洗浄水で洗浄することができるマフラー洗浄装置を提供する。【解決手段】ポンプによって供給管路から洗浄水を供給し、切替レバーを介して第１水槽１へ給水する第１給水管路１１と、第２水槽２へ給水する第２給水管路１２と、前記第１水槽の底部寄りに設けられて第１水槽内に溜まった水を排水する第１戻り管路２１と、前記第２水槽の底部寄りに設けられて第２水槽内に溜まった水を排水する第２戻り管路２２と、第１戻り管路と第２戻り管路に流れた水を前記ポンプに戻し、前記供給管路に送る戻り管路と、前記第１給水管路と第２給水管路の先端にそれぞれ取り付けられたシャワーヘッド部とからなることを特徴とする。【選択図】図１
0003215511.tif 000002
【実用新案登録請求の範囲】
【請求項１】
マフラーを酸化触媒側とフィルター本体側に２つのマフラー構成部に分解して洗浄するマフラー洗浄装置において、
酸化触媒側のマフラー構成部を分解した面を上にして起立した状態で収納する第１水槽と、
フィルター本体側のマフラー構成部を分解した面を上にして起立した状態で収納する第２水槽と、
ポンプによって供給管路から洗浄水を供給し、切替レバーを介して第１水槽へ給水する第１給水管路と、第２水槽へ給水する第２給水管路と、
前記第１水槽の底部寄りに設けられて第１水槽内に溜まった水を排水する第１戻り管路と、前記第２水槽の底部寄りに設けられて第２水槽内に溜まった水を排水する第２戻り管路と、第１戻り管路と第２戻り管路に流れた水を前記ポンプに戻し、前記供給管路に送る戻り管路と、
前記第１給水管路と第２給水管路の先端にそれぞれ取り付けられたシャワーヘッド部とからなることを特徴とするマフラー洗浄装置。
【請求項２】
シャワーヘッド部が、第１給水管路の先端に設けられた第１シャワーヘッドと、第２給水管路の先端に設けられた第２シャワーヘッドとからなり、
第１シャワーヘッドは、酸化触媒側のマフラー構成部の分解した面を覆う大きさの散水面と、前記散水面と略同じ大きさで奥行き側に略同じ厚みで突出する水溜部と、散水面と略同一面で散水面の外側に延びて水の跳ね返りを防ぐカバー面とからなっており、
第２シャワーヘッドは、フィルター本体側のマフラー構成部の分解した面を覆う大きさの散水面と、散水面と略同じ大きさで奥行き側に略同じ厚みで突出する水溜部と、前記散水面と略同一面で散水面の外側に延びて水の跳ね返りを防ぐカバー面とからなっていることを特徴とする請求項１に記載のマフラー洗浄装置。
【請求項３】
第１水槽と第２水槽が、各底面の略中央に開閉自在なドレンが設けられていると共に、前記ドレンに向かって漸次幅狭となる断面テーパー状に形成されており、
前記ドレンの上方には、着脱可能にメッシュプレートが敷設されていることを特徴とする請求項１または２に記載のマフラー洗浄装置。
【考案の詳細な説明】
【技術分野】
【０００１】
本考案は、簡単な構造でマフラーを２分割して洗浄することができるマフラー洗浄装置に関するものである。
【背景技術】
【０００２】
従来、例えば、特開２００２−２５６８４５号の排気浄化装置では、排気管の終端部におけるマフラーの外筒内にパティキュレートフィルタを装備した排気浄化装置に関し、マフラーの外筒の前後端面に大きな口径の入側開口部と出側開口部とを形成し、これらの外縁部に形成した座金部と排気管の終端部のフランジ部及びテールパイプの始端部のフランジ部とを重ね合わせて相互間を締結し得るように構成する。そして、マフラーを車体から完全に取り外して前後端面の入側開口部及び出側開口部の両方から作業者がエアホースや洗浄水ホースをつかんだ手を挿し入れて作業性良くエア洗浄や水洗浄を行う構成が開示されている。
しかし、マフラの汚れを取るには、作業者が洗浄水ホースなどを用いて手作業で繰り返し行う必要があり、手間のかかる作業となっている。
【先行技術文献】
【特許文献】
【０００３】
【特許文献１】特開２００２−２５６８４５号公報
【考案の概要】
【考案が解決しようとする課題】
【０００４】
この考案は、マフラーを酸化触媒側とフィルター本体側に２つに分解して、それぞれの分割面を上にして２つの水槽に起立させて収納し、水槽にはポンプで循環させる洗浄水を前記マフラー分割面に対して真上からシャワー状に散水して繰り返し洗浄することができるマフラー洗浄装置を提供することにある。
【課題を解決するための手段】
【０００５】
本考案は、上記課題を解決するために、請求項１の考案では、
マフラーを酸化触媒側とフィルター本体側に２つのマフラー構成部に分解して洗浄するマフラー洗浄装置において、
酸化触媒側のマフラー構成部を分解した面を上にして起立した状態で収納する第１水槽と、
フィルター本体側のマフラー構成部を分解した面を上にして起立した状態で収納する第２水槽と、
ポンプによって供給管路から洗浄水を供給し、切替レバーを介して第１水槽へ給水する第１給水管路と、第２水槽へ給水する第２給水管路と、
前記第１水槽の底部寄りに設けられて第１水槽内に溜まった水を排水する第１戻り管路と、前記第２水槽の底部寄りに設けられて第２水槽内に溜まった水を排水する第２戻り管路と、第１戻り管路と第２戻り管路に流れた水を前記ポンプに戻し、前記供給管路に送る戻り管路と、
前記第１給水管路と第２給水管路の先端にそれぞれ取り付けられたシャワーヘッド部とからなることを特徴とする。
請求項２の考案では、
前記シャワーヘッド部が、第１給水管路の先端に設けられた第１シャワーヘッドと、第２給水管路の先端に設けられた第２シャワーヘッドとからなり、
第１シャワーヘッドは、酸化触媒側のマフラー構成部の分解した面を覆う大きさの散水面と、前記散水面と略同じ大きさで奥行き側に略同じ厚みで突出する水溜部と、散水面と略同一面で散水面の外側に延びて水の跳ね返りを防ぐカバー面とからなっており、
第２シャワーヘッドは、フィルター本体側のマフラー構成部の分解した面を覆う大きさの散水面と、散水面と略同じ大きさで奥行き側に略同じ厚みで突出する水溜部と、前記散水面と略同一面で散水面の外側に延びて水の跳ね返りを防ぐカバー面とからなっていることを特徴とする請求項１に記載のマフラー洗浄装置。
請求項３の考案では、
前記第１水槽と第２水槽が、各底面の略中央に開閉自在なドレンが設けられていると共に、前記ドレンに向かって漸次幅狭となる断面テーパー状に形成されており、
前記ドレンの上方には、着脱可能にメッシュプレートが敷設されていることを特徴とする。
【考案の効果】
【０００６】
本考案のマフラー洗浄装置は、１台のポンプで２分割したマフラー構成部をそれぞれ第１水槽、第２水槽に収納し、第１給水管路と第２給水管路のいずれか一方を用い、給水管路先端のシャワーヘッドを前記マフラー構成部の分割した面上に載置し、加圧状態で散水する。
マフラー構成部内を貫通して前記第１水槽または第２水槽に溜まった洗浄水は、第１戻り管路または第２戻り管路から戻り管路に流れるが、前記ポンプを介して再度供給管路に送られ、繰り返し洗浄水が循環する。
マフラーの汚れに対応して洗浄水に洗浄剤を添加することで、こびりついた汚れも洗浄することができる。
前記第１水槽、第２水槽に溜まった水はドレンを開いて排水し、前記水槽に残った残留物は水槽を清掃することで再利用することができる。
このように水や洗浄剤を添加した水を水槽内繰り返し循環させてシャワーを自動的にマフラー内に浴びせることで、容易にマフラーの洗浄を行うことができる。
【図面の簡単な説明】
【０００７】
【図１】実施例１のマフラー洗浄装置の正面図である。
【図２】同背面図である。
【図３】同平面図である。
【図４】（ａ）はシャワーヘッドの下側から見た斜視図、（ｂ）は上側から見た斜視図である。
【図５】車輌から取り外したマフラー全体の斜視図である。
【図６】（ａ）は酸化触媒側のマフラー構成部、（ｂ）はフィルター本体側のマフラー構成部の斜視図である。
【考案を実施するための形態】
【０００８】
以下にこの考案をトラックに搭載されているマフラーの洗浄装置に適用した好適実施例について図面を参照しながら説明する。
【実施例１】
【０００９】
マフラー洗浄装置４０は、トラックなどの大型車輌から取り外したマフラーの一例として図５に示すマフラー３０を、ボルト連結部分Ｂで２つに分解して、図６（ａ）に示す酸化触媒側のマフラー構成部３１と、同図（ｂ）に示すフィルター本体側のマフラー構成部３５とに分解し、この２つの分解されたマフラー構成部３１，３２を洗浄の対象としている。
【００１０】
マフラー洗浄装置４０は、図１から図３に示すように、基台７上に脚部４を介して立設された上面が開放された第１水槽１と、同様に脚部５を介して立設された上面が開放された第２水槽２とを有しており、本実施例では第１水槽１が小さく、第２水槽２が大きく形成されている。
【００１１】
そして、第１水槽１には酸化触媒側のマフラー構成部３１が前記分解された開口３２を上にして起立した状態で収納され、第２水槽２にはフィルター本体側のマフラー構成部３５が同様に分解された開口３６を上にして起立した収納される形状となっており（図６参照）、本実施例では第１水槽１が小さく第２水槽２が大きくなっているが、この考案では水槽の大きさは同一であってもよいし、大小が反対となっていてもよい。
【００１２】
上記第１水槽１と第２水槽２は、各底面の略中央に開閉自在なドレン８、９がそれぞれ設けられている。
そして、第１水槽１と第２水槽２の下部は、前記ドレン８、９に向かって漸次幅狭となる断面テーパー状に形成されている。
また、前記ドレン８、９の上方には、着脱可能にメッシュプレートＭが敷設されている。
【００１３】
前記マフラー洗浄装置４０には、前記第１水槽１、第２水槽２に洗浄水を循環するための循環ポンプ３が設けられている。
循環ポンプ３の送り出し側には送水管路１０と、該送水管路１０から供給される水を切替弁１５のレバー１５ａ切替により第１水槽１側に給水するための第１給水管路１１と、第２水槽２側に給水するための第２給水管路１２とが設けられており、前記切替弁１５の操作レバー１５ａによって給水側を択一的に選択しうる。
なお、前記切替弁１５は、第１水槽１と第２水槽２の間の空間に立設したスタンド６上に支持されており、操作しやすくなっている。
【００１４】
前記第１給水管路１１の先端には第１シャワーヘッド１６が取り付けられている（図４参照）。
第１シャワーヘッド１６は、酸化触媒側のマフラー構成部３１の分解した面の開口３２を覆う大きさのメッシュ状の散水面１７と、前記散水面１７と略同じ大きさで奥行き側に略同じ厚みで突出する水溜部１７Ａと、散水面１７Ａと略同一面で散水面の外側に延びて水の跳ね返りを防ぐカバー面１７Ｂとからなっている。
【００１５】
同様に第２シャワーヘッド１８は、フィルター本体側のマフラー構成部３５の分解した面の開口３６を覆う大きさのメッシュ状の散水面１９と、前記散水面１９と略同じ大きさで奥行き側に略同じ厚みで突出する水溜部１９Ａと、散水面１９Ａと略同一面で散水面の外側に延びて水の跳ね返りを防ぐカバー面１９Ｂとからなっている。
両者は同一形状からなっているので、図４を共用して示す。
【００１６】
そして、上記第１シャワーヘッド１６はその散水面１７を前記マフラー構成部３１の開口３２を塞ぐように載置して使用に供する。
同様に、上記第２シャワーヘッド１８はその散水面１９を前記マフラー構成部３５の開口３６を塞ぐように載置して使用に供する。
【００１７】
前記循環ポンプ３の戻り側には、戻り本管路２３が接続されている。
該戻り本管路２３は、前記第１水槽１の底部寄りに設けられた排水口２１ａに接続されて第１水槽１内に溜まった水を排水する第１戻り管路２１と、前記第２水槽２の底部寄りに設けられた排水口２２ａに接続されて第２水槽２内に溜まった水を排水する第２戻り管路２２と接続されている。
図示例では、前記第１戻り管路２１と第２戻り管路２２とは１本の管路からなっており、中途位置で前記戻り管路と連通している。
前記排出口２１ａ、２２ａの位置は、水槽に溜まる洗浄水の中間位置に設定されており、比較的汚れていない洗浄水を排出して循環水として使用しうるようになっている。
【００１８】
上記構成からなっているので、まず、最初に水などの洗浄水を、例えば第１水槽１に注入する。
そして切替レバー１５を切り替えて、送水管路１０からの送水が第１給水管路１１に流入するようにして、循環ポンプ３を作動させる。
これにより、第１水槽１の洗浄水は排水口２１ａから第１戻り管路２１を経て戻り本管路２３に入り循環ポンプ３に戻り、供給管路１０を介して第１給水管路１１に送られ、先端の第１シャワーヘッド１６の散水面１７から加圧されたシャワー状の洗浄水がマフラー構成部３１の開口３１ａに注がれ、マフラー構成部３１内を通過して洗浄が行われる。
【００１９】
そして第１水槽１に溜まった洗浄水は、前記排出口２１ａから第１戻り管路２１を経て戻り本管路２３を介して循環ポンプ３に戻り、供給管路１０に送り出され、前述のように第１水槽１に給水されて洗浄水の循環が順次繰り返される。
洗浄終了後は、第１水槽１のドレン８を開いて溜まった洗浄水を排水する。
洗浄水の汚れが少なく再使用できる場合には、循環ポンプ３により、第１水槽１の洗浄水を第１戻り管路２１から戻り本管路２３に送り、送水管路１０に供給してもよい。
第１水槽１に残留した汚れは、第１水槽１を清掃することで、再使用に備える。
【００２０】
本使用例では、新たな水を第２水槽２内に注入しておき、同時に別途洗浄液をフィルター本体側のマフラー構成部３５の開口３６から内部に注ぎ込む。
そして、前記に準じて、切替レバー１５ａを第２水槽２側に切り替えておくことで、循環ポンプ３を作動して、第２戻り管路２２から戻り管路２０に送られた洗浄水を、送水管路１０から第２給水管路１２に送り、該第２給水管路１２の先端の第２シャワーヘッド１８からフィルター本体側のマフラー構成部３５の開口３６へ洗浄水のシャワーを浴びせて前記マフラー構成部３５内を洗浄し、これを繰り返す。
【００２１】
このようにしてフィルター本体側のマフラー構成部３５にこびりついた油分や炭化物を剥がして洗浄する。
洗浄後は、水分は第２水槽２のドレン９から排水し、内部に溜まった汚れなどの残留物は第２水槽２内を清掃して取り除く。
このような洗浄後に、酸化触媒側のマフラー構成部３１とフィルター本体側のマフラー構成部３５は図示しない送風機で乾燥させて洗浄を終了し、再組立を行ってマフラー３０とし、図示しない車輌の所定位置に接続して搭載する。
上記循環モータ３による循環水の洗浄の動きは、タイマーで循環洗浄時間を管理してもよい。
【００２２】
本実施例で各管路はホースからなっているが、金属製や樹脂製の管やフレキシブル管などであってもよい。
また、上記洗浄方法は、一例を示すものであり、この考案では限定されるものではない。
その他、要するにこの考案の要旨を変更しない範囲で種々設計変更しうること勿論である。
【符号の説明】
【００２３】
１    第１水槽
２    第２水槽
３    循環ポンプ
４    脚部
５，６  スタンド
７    基台
８、９  ドレン
１０    送水管路
１１    第１給水管路
１２    第２給水管路
１６    第１シャワーヘッド
１７    散水面
１８    第２シャワーヘッド
１９    散水面
２０    戻り本管路
２１    第１戻り管路
２２    第２戻り管路
３０    マフラー
３１    酸化触媒側のマフラー構成部
３５    フィルター本体側のマフラー構成部
４０    マフラー洗浄装置
Ｂ    ボルト連結部分
Ｍ    メッシュプレート
【図１】
0003215511.tif 000003
【図２】
0003215511.tif 000004
【図３】
0003215511.tif 000005
【図４】
0003215511.tif 000006
【図５】
0003215511.tif 000007
【図６】
0003215511.tif 000008